(57)【特許請求の範囲】
【請求項１】
滅菌作用を有するガスが供給されるチャンバーを備えたガス供給対象装置であって、
前記チャンバーへの前記ガスの供給状況を示す複数の状態を選択的に取り得ると共に、当該ガス供給対象装置への電力の供給が遮断された場合に、前記電力の供給が遮断された時点における前記複数の状態のいずれかを保持することが可能な保持手段をさらに備えたことを特徴とする、ガス供給対象装置。
【請求項２】
前記保持手段は、当該ガス供給対象装置への電力の供給がある場合及び電力の供給が遮断されている場合のいずれにおいても、外部装置によって前記複数の状態のいずれにあるかを判断できるように構成されていることを特徴とする、請求項１に記載のガス供給対象装置。
【請求項３】
前記保持手段は、当該ガス供給対象装置への電力の供給がある場合、外部装置によって前記複数の状態のいずれかに設定できるように構成されていることを特徴とする、請求項１又は２に記載のガス供給対象装置。
【請求項４】
前記保持手段は、ラッチングリレーを含むことを特徴とする、請求項１〜３のいずれか１項に記載のガス供給対象装置。
【請求項５】
ガスが供給されるチャンバーを有するガス供給対象装置と、
ガスを発生させるガス発生器を有するガス発生装置とを備え、
前記ガス発生器が発生させたガスを前記チャンバーに供給するように構成されたガス供給システムであって、
前記ガス供給対象装置は、前記チャンバーへのガスの供給状況を示す複数の状態を選択的に取り得ると共に、当該ガス供給対象装置への電力の供給が遮断された場合に、前記電力の供給が遮断された時点における前記複数の状態のいずれかを保持することが可能な保持手段をさらに有し、
前記保持手段が前記複数の状態のいずれにあるかを判断する判断手段と、
前記判断手段の判断に応じた処理を行う処理手段とをさらに備えたことを特徴とする、ガス供給システム。
【請求項６】
複数の前記ガス供給対象装置を備え、
前記ガス発生器が発生させたガスを、前記複数のガス供給対象装置の中から順次選択される１つのガス供給対象装置の前記チャンバーに供給するように構成されたことを特徴とする、請求項５に記載のガス供給システム。
【請求項７】
ガスが供給されるチャンバーを有するガス供給対象装置と、ガスを発生させるガス発生器を有するガス発生装置とを備え、前記ガス発生装置が発生させたガスを前記チャンバーに供給するように構成されたガス供給システムを制御する方法であって、
前記ガス供給対象装置は、前記チャンバーへのガスの供給状況を示す複数の状態を選択的に取り得ると共に、当該ガス供給対象装置への電力の供給が遮断された場合に、前記電力の供給が遮断された時点における前記複数の状態のいずれかを保持することが可能な保持手段をさらに有し、
前記ガス供給システムの判断手段によって前記保持手段が前記複数の状態のいずれにあるかを判断する判断ステップと、
前記ガス供給システムの処理手段によって前記判断手段の判断に応じた処理を行う処理ステップとを備えたことを特徴する、ガス供給システムの制御方法。
【発明の詳細な説明】
【技術分野】
【０００１】
本発明は、窒素ガス、過酸化水素ガス等のガスが供給されるチャンバーを備えたガス供給対象装置、ガス供給対象装置とガス発生装置とを備えたガス供給システム、及び、ガス供給システムの制御方法に関する。
【背景技術】
【０００２】
半導体ウェハ、液晶ディスプレイパネル等の基板を処理する工程において、ガス供給対象装置のチャンバーに基板を収容して、チャンバーに窒素ガス等の不活性ガスを供給し、チャンバー（及び、チャンバーに収容された基板）から汚染物質を除去する技術が知られている（特許文献１参照）。また、細胞の培養や検査を行う工程、医療用機器を製造する工程等において、ガス供給対象装置のチャンバーに過酸化水素ガス等の滅菌作用を有するガスを供給し、チャンバー（及び、チャンバーに被滅菌物が収容されている場合は、被滅菌物）の滅菌を行う技術が知られている（特許文献２参照）。
【先行技術文献】
【特許文献】
【０００３】
【特許文献１】ＷＯ２０１０／１３７５５６  Ａ１
【特許文献２】特開２０１３−１４４１５９号公報
【発明の概要】
【発明が解決しようとする課題】
【０００４】
上記技術を行う場合において、停電等によりガス供給対象装置への電力の供給が遮断され、その後、電力の供給が再開されることが考えられる。このとき、チャンバーへのガスの供給状況（ガス供給開始前、ガス供給途中、ガス供給完了後、等）を把握できないと、以下のような問題が生じ得る。例えば、チャンバーへのガスの供給状況が不明であるため、一律にエアレーション（チャンバー内のガス濃度を低下させるため、チャンバーへの空気の供給とチャンバーからの排気とを行い、チャンバーと外部とで空気を循環させる処理）を行うと、作業効率が悪くなる。また、例えば、チャンバーへのガスの供給状況が不明であるにも関わらず、チャンバーに設けられた扉が開放されると、チャンバーからガスが漏れ出してしまい、当該ガスが人体に有害なものである場合、作業者の安全性を確保することができない。
【０００５】
本発明の目的は、ガス供給対象装置への電力の供給が遮断された後に再開された場合にも、チャンバーへのガスの供給状況を把握し、その状況に応じた処理を行うことができる、ガス供給対象装置、ガス供給システム、及び、ガス供給システムの制御方法を提供することである。
【課題を解決するための手段】
【０００６】
本発明の第１観点によると、滅菌作用を有するガスが供給されるチャンバーを備えたガス供給対象装置であって、前記チャンバーへの前記ガスの供給状況を示す複数の状態を選択的に取り得ると共に、当該ガス供給対象装置への電力の供給が遮断された場合に、前記電力の供給が遮断された時点における前記複数の状態のいずれかを保持することが可能な保持手段をさらに備えたことを特徴とする、ガス供給対象装置が提供される。
【０００７】
本発明の第２観点によると、ガスが供給されるチャンバーを有するガス供給対象装置と、ガスを発生させるガス発生器を有するガス発生装置とを備え、前記ガス発生器が発生させたガスを前記チャンバーに供給するように構成されたガス供給システムであって、前記ガス供給対象装置は、前記チャンバーへのガスの供給状況を示す複数の状態を選択的に取り得ると共に、当該ガス供給対象装置への電力の供給が遮断された場合に、前記電力の供給が遮断された時点における前記複数の状態のいずれかを保持することが可能な保持手段をさらに有し、前記保持手段が前記複数の状態のいずれにあるかを判断する判断手段と、前記判断手段の判断に応じた処理を行う処理手段とをさらに備えたことを特徴とする、ガス供給システムが提供される。
【０００８】
本発明の第３観点によると、ガスが供給されるチャンバーを有するガス供給対象装置と、ガスを発生させるガス発生器を有するガス発生装置とを備え、前記ガス発生装置が発生させたガスを前記チャンバーに供給するように構成されたガス供給システムを制御する方法であって、前記ガス供給対象装置は、前記チャンバーへのガスの供給状況を示す複数の状態を選択的に取り得ると共に、当該ガス供給対象装置への電力の供給が遮断された場合に、前記電力の供給が遮断された時点における前記複数の状態のいずれかを保持することが可能な保持手段をさらに有し、前記ガス供給システムの判断手段によって前記保持手段が前記複数の状態のいずれにあるかを判断する判断ステップと、前記ガス供給システムの処理手段によって前記判断手段の判断に応じた処理を行う処理ステップとを備えたことを特徴する、ガス供給システムの制御方法が提供される。
【０００９】
上記第１〜第３観点によれば、ガス供給対象装置への電力の供給が遮断された後に再開された場合に、保持手段の状態を判断し、チャンバーへのガスの供給状況を把握して、その状況に応じた処理を行うことができる。
【００１０】
上記第１〜第３観点において、前記保持手段は、当該ガス供給対象装置への電力の供給がある場合及び電力の供給が遮断されている場合のいずれにおいても、外部装置によって前記複数の状態のいずれにあるかを判断できるように構成されてよい。当該構成によれば、ガス供給対象装置への電力の供給がある場合及び電力の供給が遮断されている場合のいずれにおいても、外部装置が、当該ガス供給対象装置に含まれる保持手段の状態を判断し、当該ガス供給対象装置のチャンバーへのガスの供給状況を把握して、その状況に応じた処理を行うことができる。
【００１１】
上記第１〜第３観点において、前記保持手段は、当該ガス供給対象装置への電力の供給がある場合、外部装置によって前記複数の状態のいずれかに設定できるように構成されてよい。当該構成によれば、外部装置によるガス供給対象装置の管理をより適切に行うことができる。
【００１２】
上記第１〜第３観点において、前記保持手段は、ラッチングリレーを含んでよい。当該構成によれば、ラッチングリレーの状態を電気的に判断することで、チャンバーへのガスの供給状況を的確に把握し、その状況に応じた処理を行うことができる。
【００１３】
上記第１観点において、前記ガスは滅菌作用を有する。ここで、「滅菌作用」とは、増殖性を持つあらゆる微生物（主に細菌類）を完全に殺滅又は除去する状態を実現するための作用をいう。滅菌作用を有するガスは、濃度にもよるが、人体に有害となり得る。そのため、上記構成によれば、作業者の安全性を確保する点から、本発明による利益が大きい。
【００１４】
上記第２観点に係るガス供給システムは、複数の前記ガス供給対象装置を備え、前記ガス発生器が発生させたガスを、前記複数のガス供給対象装置の中から順次選択される１つのガス供給対象装置の前記チャンバーに供給するように構成されてよい。当該構成によれば、複数のガス供給対象装置のチャンバーに対して順次ガスを供給する場合に、各ガス供給対象装置のガスの供給状況を把握し、その状況に応じた処理を行うことができる。
【００１５】
なお、上記第１〜第３観点において、前記保持手段は、３以上の前記状態を選択的に取り得るものであってよい。当該構成によれば、保持手段が２つのみではなく３以上の状態を選択的に取り得ることで、チャンバーへのガスの供給状況をより詳細に把握し、ガス供給対象装置のきめ細やかな管理を実現することができる。
【００１６】
また、上記第１〜第３観点において、前記保持手段は、それぞれ状態が切り替え可能な複数の素子を含んでよい。当該構成によれば、保持手段が３以上の状態を選択的に取り得るという構成を、各素子の状態の組み合わせによって、比較的簡単に実現することができる。
【発明の効果】
【００１７】
本発明によれば、ガス供給対象装置への電力の供給が遮断された後に再開された場合に、保持手段の状態を判断し、チャンバーへのガスの供給状況を把握して、その状況に応じた処理を行うことができる。
【図面の簡単な説明】
【００１８】
【図１】本発明の一実施形態に係るガス供給システムを示す概略構成図である。
【図２】本発明の一実施形態に係るガス供給システムの電気的構成を示すブロック図である。
【図３】本発明の一実施形態におけるチャンバーへのガスの供給状況（ガス供給開始前、ガス供給途中、ガス供給完了後）と保持手段の状態（状態Ａ、状態Ｂ、状態Ｃ）との対応関係を示す図である。
【図４】本発明の一実施形態に係るガス供給システムの制御方法を示すフロー図である。
【図５】扉ロック制御ルーチンを示すフロー図である。
【発明を実施するための形態】
【００１９】
本発明の一実施形態に係るガス供給システム１は、図１及び図２に示すように、複数のガス供給対象装置１０と、ガス発生装置５０と、これら装置１０，５０を統括して制御するための管理ＰＣ（Personal Computer）９０とを含む。
【００２０】
各ガス供給対象装置１０は、コントローラ１１、保持手段１２、チャンバー１０ａ等を有する。保持手段１２は、２つのラッチングリレー１２ａ，１２ｂを含む。特に、図１及び図２においてガス発生装置５０と接続されているガス供給対象装置１０は、さらに、コンテナ装着部１０ｂ、コンテナ装着センサ１０ｂＳ、扉１０ｃ、チャンバー１０ａへのガスの供給路を構成する管１３、チャンバー１０ａからの排気路を構成する管１４、給気管装着センサ１３Ｓ、排気管装着センサ１４Ｓ、扉開閉センサ１５、扉開放要求スイッチ１６、及び、扉ロック機構１７を有する。
【００２１】
ガス発生装置５０は、コントローラ５１、ガス発生器５０ａ、チャンバー１０ａへのガスの供給路を構成する管５３、チャンバー１０ａからの排気路を構成する管５４、電磁弁５３Ｖ、及び、ガス濃度センサ５４Ｓを有する。
【００２２】
チャンバー１０ａは、ガスが供給される空間である。
【００２３】
コンテナ装着部１０ｂは、チャンバー１０ａの上部に設けられている。コンテナ装着部１０ｂには、コンテナ（複数の細胞培養皿を収容可能な容器）が着脱可能である。コンテナ装着部１０ｂにコンテナが装着されているとき、コンテナの内部空間はチャンバー１０ａと連通している。
【００２４】
コンテナ装着センサ１０ｂＳは、コンテナ装着部１０ｂの近傍に設けられており、コンテナ装着部１０ｂにコンテナが装着されているときＯＮ信号、コンテナ装着部１０ｂにコンテナが装着されていないときＯＦＦ信号を、コントローラ１１に送信する。
【００２５】
扉１０ｃは、チャンバー１０ａを画定する側壁に取り付けられており、作業者によって開閉可能である。扉１０ｃが開放されると、チャンバー１０ａは外部空間と連通する。
【００２６】
扉開閉センサ１５は、扉１０ｃの近傍に設けられており、扉１０ｃが閉鎖されているときＯＮ信号、扉１０ｃが開放されているときＯＦＦ信号を、コントローラ１１に送信する。
【００２７】
扉開放要求スイッチ１６は、扉１０ｃの近傍に設けられており、扉１０ｃの開放が必要な場合に作業者によって押下される。扉開放要求スイッチ１６は、押下されたときにＯＮ信号、押下されていないときにＯＦＦ信号を、コントローラ１１に送信する。
【００２８】
扉ロック機構１７は、扉１０ｃの開放を禁止するための機構であり、任意のメカ機構（ソレノイド、ギア等）により構成される。扉ロック機構１７は、コントローラ１１による制御の下、ＯＮの状態（扉１０ｃの開放を禁止する状態）とＯＦＦの状態（扉１０ｃの開放を禁止しない状態）とを選択的に取り得る。また、安全のため、扉ロック機構１７は、ガス供給対象装置１０への電力の供給が遮断されている場合、ＯＮの状態（扉１０ｃの開放を禁止する状態）に維持される。
【００２９】
給気管装着センサ１３Ｓ及び排気管装着センサ１４Ｓは、それぞれ、管１３，１４の先端（チャンバー１０ａに接続する端部とは反対側の端部）近傍に設けられており、当該先端に給気管７３，排気管７４が装着されているときＯＮ信号、当該先端に給気管７３，排気管７４が装着されていないときＯＦＦ信号を、コントローラ１１に送信する。
【００３０】
給気管７３は、管１３と管５３とを接続する。排気管７４は、管１４と管５４とを接続する。
【００３１】
ガス発生器５０ａは、コントローラ５１による制御の下、ガスを発生させる。ガス発生器５０ａによって発生されたガスは、管５３，７３，１３を通って、チャンバー１０ａに供給される。
【００３２】
電磁弁５３Ｖは、管５３の途中に設けられており、コントローラ５１による制御の下、開状態と閉状態とを選択的に取り得る。電磁弁５３Ｖが開状態にあるとき、管５３は外部と連通可能であり、管５３から管７３，１３へのガスの通過が可能である。電磁弁５３Ｖが閉状態にあるとき、管５３と外部との連通が遮断され、管５３から管７３，１３へのガスの通過が不可能である。
【００３３】
ガス濃度センサ５４Ｓは、管５４の先端（ガス発生器５０ａに接続する端部とは反対側の端部）に設けられており、当該先端を通るガスの濃度を検知して、検知信号をコントローラ５１に送信する。
【００３４】
各ラッチングリレー１２ａ，１２ｂは、ガス発生装置５０のコントローラ５１からの入力信号の受信に応じて、接点がＯＮ又はＯＦＦし、その後入力信号の受信がなくてもその状態（ＯＮ又はＯＦＦ）を保持する。これにより、保持手段１２は、図３に示すように、２つのラッチングリレー１２ａ，１２ｂのＯＮ・ＯＦＦの組み合わせに応じた３つの状態Ａ〜Ｃを選択的に取り得ると共に、当該ガス供給対象装置１０への電力の供給が遮断された場合に、電力の供給が遮断された時点における状態を保持することが可能となっている。各状態Ａ〜Ｃは、チャンバー１０ａへのガスの供給状況を示す。状態Ａは、ラッチングリレー１２ａ，１２ｂが共にＯＦＦの状態であり、「ガス供給開始前」を示す。状態Ｂは、ラッチングリレー１２ａがＯＮ且つラッチングリレー１２ｂがＯＦＦの状態であり、「ガス供給途中」を示す。状態Ｃは、ラッチングリレー１２ａ，１２ｂが共にＯＮの状態であり、「ガス供給完了後」を示す。
【００３５】
ガス発生装置５０のコントローラ５１は、各ラッチングリレー１２ａ，１２ｂのＯＮ／ＯＦＦを設定することができ、且つ、各ラッチングリレー１２ａ，１２ｂのＯＮ／ＯＦＦを判断することができる（即ち、各ラッチングリレー１２ａ，１２ｂに対する書き込み、及び、各ラッチングリレー１２ａ，１２ｂのＯＮ／ＯＦＦの読み取りを行うことができる）。コントローラ５１による各ラッチングリレー１２ａ，１２ｂに対する書き込み及び読み取りは、当該ガス供給対象装置１０への電力の供給がある場合及び電力の供給が遮断されている場合のいずれにおいても、可能となっている。即ち、保持手段１２は、当該ガス供給対象装置１０への電力の供給がある場合及び電力の供給が遮断されている場合のいずれにおいても、外部装置（本実施形態では、ガス発生装置５０のコントローラ５１）によって上記状態Ａ〜Ｃのいずれにあるかを判断できるように構成されている。また、保持手段１２は、当該ガス供給対象装置１０への電力の供給がある場合、当該ガス供給対象装置１０によってではなく、外部装置（本実施形態では、ガス発生装置５０のコントローラ５１）によって、上記状態Ａ〜Ｃのいずれかに設定できるように構成されている。
【００３６】
これに対し、ガス供給対象装置１０のコントローラ１１は、各ラッチングリレー１２ａ，１２ｂのＯＮ／ＯＦＦを判断することはできるが、各ラッチングリレー１２ａ，１２ｂのＯＮ／ＯＦＦを設定することはできない。
【００３７】
管理ＰＣ９０は、各ガス供給対象装置１０のコントローラ１１及びガス発生装置５０のコントローラ５１のそれぞれと通信可能に接続されており、各コントローラ１１，５１に指令を出したり、各コントローラ１１，５１から情報を読み出したりすることができる。また、管理ＰＣ９０は、各装置１０，５０に関する情報（ガス供給に関する履歴情報等）を記憶する。
【００３８】
本実施形態において、ガス発生器５０ａによって発生され、チャンバー１０ａに供給されるガスは、過酸化水素ガスであり、滅菌作用を有する。つまり、本実施形態に係るガス供給システム１は、過酸化水素ガスを用いて、チャンバー１０ａ（及び、チャンバー１０ａに被滅菌物が収容されている場合は、被滅菌物（図１及び図２においてガス発生装置５０と管７３，７４を介して接続されているガス供給対象装置１０では、コンテナに収容された複数の細胞培養皿））の滅菌を行うものである。滅菌された各細胞培養皿は、細胞及び培養液が入れられ、細胞の培養、さらにその後検査に用いられる。
【００３９】
図１及び図２においてガス発生装置５０と接続されていないガス供給対象装置１０は、細胞の培養装置又は検査装置、細胞培養皿が培養装置又は検査装置まで移動する経路を構成する装置等であって、このときガス発生装置５０と接続されていないが、順次、管７３，７４を介してガス発生装置５０と接続され、チャンバー１０ａにガスが供給される。つまり、本実施形態に係るガス供給システム１は、ガス発生器５０ａが発生させたガスを、複数のガス供給対象装置１０の中から順次選択される１つのガス供給対象装置１０のチャンバー１０ａに供給するように構成されている。
【００４０】
次いで、図４を参照し、本発明の一実施形態に係るガス供給システム１の制御方法について説明する。なお、以下の制御は、管理ＰＣ９０、ガス発生装置５０に接続されたガス供給対象装置１０のコントローラ１１、及び、ガス発生装置５０のコントローラ５１によって実行される。
【００４１】
ガス発生装置５０に接続されたガス供給対象装置１０、ガス発生装置５０及び管理ＰＣ９０が起動されると（停電等により装置１０，５０及び管理ＰＣ９０への電力が遮断され、その後、電力の供給が再開されることで、再起動された場合や、停電ではなく、給気管７３及び／又は排気管７４が取り外されたことを要因として、あるガス供給対象装置１０に対するガスの供給が停止され、その後再び当該ガス供給対象装置１０がガス発生装置５０に接続されて、再起動された場合等も含む。）、先ず、管理ＰＣ９０が、ガス発生装置５０に接続されたガス供給対象装置１０に対する滅菌指令があるか否かを判断する（Ｓ１）。滅菌指令は、例えば、管理ＰＣ９０に設けられた入力手段を介して作業者によって入力される。
【００４２】
滅菌指令がないと判断した場合（Ｓ１：ＮＯ）、管理ＰＣ９０は、Ｓ１の処理を繰り返す。
【００４３】
滅菌指令があると判断した場合（Ｓ１：ＹＥＳ）、当該ガス供給対象装置１０のコントローラ１１が、各センサ１０ｂＳ，１３Ｓ，１４Ｓからの信号に基づき、コンテナ、給気管７３及び排気管７４が装着されているか否かを判断する（Ｓ２）。
【００４４】
コンテナ、給気管７３及び排気管７４のいずれかが装着されていないと判断した場合（Ｓ２：ＮＯ）、コントローラ１１は、Ｓ２の処理を繰り返す。
【００４５】
コンテナ、給気管７３及び排気管７４の全てが装着されていると判断した場合（Ｓ２：ＹＥＳ）、コントローラ１１は、扉開閉センサ１５からの信号に基づき、扉１０ｃが閉鎖されているか否かを判断する（Ｓ３）。
【００４６】
扉１０ｃが閉鎖されていないと判断した場合（Ｓ３：ＮＯ）、コントローラ１１は、Ｓ３の処理を繰り返す。
【００４７】
扉１０ｃが閉鎖されていると判断した場合（Ｓ３：ＹＥＳ）、コントローラ１１は、保持手段１２が「ガス供給開始前」を示す状態Ａにあるか否かを判断する（Ｓ４）。
【００４８】
「ガス供給開始前」又は「ガス供給完了後」の場合、チャンバー１０ａ内のガス濃度は、比較的低く、一定値（例えば、人体に有害となり得る濃度値）未満である。一方、「ガス供給途中」の場合、チャンバー１０ａ内のガス濃度は、比較的高く、一定値以上である。また、「ガス供給完了後」の場合、チャンバー１０ａの滅菌が既に完了しているため、チャンバー１０ａへのガスの供給をさらに行う必要はないと考えられる。
【００４９】
保持手段１２が「ガス供給開始前」を示す状態Ａにあると判断された場合（Ｓ４：ＹＥＳ）、ガス発生装置５０のコントローラ５１は、電磁弁５３Ｖを開状態として、ガス発生器５０ａを駆動させ、チャンバー１０ａへのガスの供給を開始させる（Ｓ５）。チャンバー１０ａへのガスの供給が行われる間、管５３，７３，１３を介したガスの供給と共に、管１４，７４，５４を介したチャンバー１０ａからの排気が行われる。排気ガスは、ガス発生器５０ａに回収される。
【００５０】
Ｓ５の後、コントローラ５１は、ラッチングリレー１２ａ，１２ｂに入力信号を送信し、保持手段１２を状態Ｂ（「ガス供給途中」を示す状態）とする（Ｓ６）。
【００５１】
Ｓ６の後、コントローラ５１は、Ｓ５でガス発生器５０ａの駆動を開始させてから所定時間（チャンバー１０ａ内のガス濃度が所定値に達するまでの時間）が経過したか否かを判断する（Ｓ７）。
【００５２】
所定時間が経過していないと判断した場合（Ｓ７：ＮＯ）、コントローラ５１は、Ｓ６の処理を繰り返す。
【００５３】
所定時間が経過したと判断した場合（Ｓ７：ＹＥＳ）、コントローラ５１は、ガス発生器５０ａの駆動を停止させ、電磁弁５３Ｖを閉状態として、チャンバー１０ａへのガスの供給を停止させる（Ｓ８）。
【００５４】
Ｓ８の後、コントローラ５１は、触媒を用いる等して、エアレーション（チャンバー１０ａ内のガス濃度を低下させるため、チャンバー１０ａへの空気の供給とチャンバー１０ａからの排気とを行い、チャンバー１０ａとガス発生器５０ａとで空気を循環させる処理）を行う（Ｓ９）。コントローラ５１は、ガス濃度センサ５４Ｓからの検知信号に基づき、ガス濃度が一定値未満になるまで、エアレーションを行う。
【００５５】
Ｓ９の後、コントローラ５１は、ラッチングリレー１２ａ，１２ｂに入力信号を送信し、保持手段１２を状態Ｃ（「ガス供給完了後」を示す状態）とする（Ｓ１０）。Ｓ１０の後、当該制御ルーチンが終了する。
【００５６】
保持手段１２が「ガス供給開始前」を示す状態Ａにないと判断した場合（Ｓ４：ＮＯ）、当該ガス供給対象装置１０のコントローラ１１は、保持手段１２が「ガス供給途中」を示す状態Ｂにあるか否かを判断する（Ｓ１１）。
【００５７】
保持手段１２が「ガス供給途中」を示す状態Ｂにあると判断された場合（Ｓ１１：ＹＥＳ）、ガス発生装置５０のコントローラ５１は、ガス濃度センサ５４Ｓからの検知信号に基づき、ガス濃度が規定値以下であるか否かを判断する（Ｓ１２）。
【００５８】
ガス濃度が規定値以下であると判断した場合（Ｓ１２：ＹＥＳ）、コントローラ５１は、Ｓ５と同様に、電磁弁５３Ｖを開状態として、ガス発生器５０ａを駆動させ、チャンバー１０ａへのガスの供給を開始させる（Ｓ１３）。
【００５９】
Ｓ１３の後、又は、ガス濃度が規定値以下でないと判断した場合（Ｓ１２：ＮＯ）、コントローラ５１は、処理をＳ７に移す。なお、この場合のＳ７における所定時間は、Ｓ１２で確認された濃度に基づいて決定される。
【００６０】
保持手段１２が「ガス供給途中」を示す状態Ｂにない（即ち、「ガス供給完了後」に示す状態Ｃにある）と判断された場合（Ｓ１１：ＮＯ）、当該制御ルーチンが終了する。
【００６１】
なお、Ｓ１１：ＮＯの場合や、Ｓ１２：ＮＯの場合に、無駄なガス供給作業を省略することで、作業時間の短縮、及び、ガス消費量の低減が実現される。
【００６２】
当該制御ルーチンにおいては、Ｓ４，Ｓ１１が本発明に係る「判断ステップ」に該当し、ガス供給対象装置１０のコントローラ１１が本発明に係る「判断手段」に該当する。また、Ｓ５〜Ｓ１０の一連の処理、Ｓ１２，Ｓ１３，Ｓ７〜Ｓ１０の一連の処理、及び、Ｓ１１：ＮＯの場合に当該制御ルーチンを終了する処理が、本発明に係る「処理ステップ」に該当し、ガス発生装置５０のコントローラ５１が本発明に係る「処理手段」に該当する。
【００６３】
次いで、図５を参照し、扉ロック制御ルーチンについて説明する。なお、以下の制御は、ガス供給対象装置１０に電力が供給されている間、ガス供給対象装置１０のコントローラ１１によって実行される。
【００６４】
先ず、コントローラ１１は、扉開放要求スイッチ１６からＯＮ信号が送信されているか否かを判断する（Ｓ２１）。扉開放要求スイッチ１６からＯＮ信号が送信されていないと判断した場合（Ｓ２１：ＮＯ）、コントローラ１１は、Ｓ２１の処理を繰り返す。
【００６５】
扉開放要求スイッチ１６からＯＮ信号が送信されていると判断した場合（Ｓ２１：ＹＥＳ）、コントローラ１１は、保持手段１２が「ガス供給開始前」を示す状態Ａ又は「ガス供給完了後」を示す状態Ｃにあるか否かを判断する（Ｓ２２）。
【００６６】
保持手段１２が「ガス供給開始前」を示す状態Ａ又は「ガス供給完了後」を示す状態Ｃにあると判断した場合（Ｓ２２：ＹＥＳ）、コントローラ１１は、そのとき扉ロック機構１７がＯＮの場合は、当該ガス供給対象装置１０の各部を作業者にとって安全な状態で停止させた後に、扉ロック機構１７をＯＮからＯＦＦに切り替え、或いは、そのとき扉ロック機構１７がＯＦＦの場合は、扉ロック機構１７をＯＦＦに維持する（Ｓ２３）。Ｓ２３の後、当該制御ルーチンが終了する。
【００６７】
保持手段１２が「ガス供給開始前」を示す状態Ａ及び「ガス供給完了後」を示す状態Ｃのいずれにもない（即ち、「ガス供給途中」に示す状態Ｂにある）と判断した場合（Ｓ２２：ＮＯ）、コントローラ１１は、そのとき扉ロック機構１７がＯＮの場合は扉ロック機構１７をＯＮに維持し、そのとき扉ロック機構１７がＯＦＦの場合は扉ロック機構１７をＯＦＦからＯＮに切り替える（Ｓ２４）。Ｓ２４の後、当該制御ルーチンが終了する。
【００６８】
当該制御ルーチンにおいては、Ｓ２２が本発明に係る「判断ステップ」に該当し、ガス供給対象装置１０のコントローラ１１が本発明に係る「判断手段」に該当する。また、Ｓ２３及びＳ２４が本発明に係る「処理ステップ」に該当し、ガス供給対象装置１０のコントローラ１１が本発明に係る「処理手段」に該当する。
【００６９】
以上に述べたように、本実施形態によれば、ガス供給対象装置１０への電力の供給が遮断された後に再開された場合に、保持手段１２の状態を判断し（Ｓ４，Ｓ１１，Ｓ２２）、チャンバー１０ａへのガスの供給状況（本実施形態では、ガス供給開始前、ガス供給途中、ガス供給完了後）を把握して、その状況に応じた処理を行うことができる。
【００７０】
具体的には、例えば、一律にエアレーションを行うのではなく、保持手段１２が「ガス供給途中」を示す状態Ｂにあり且つガス濃度が規定値以下であると判断された場合（Ｓ１１：ＹＥＳ→Ｓ１２：ＹＥＳ）は、ガスの供給を継続する（Ｓ１３，Ｓ７〜Ｓ１０の一連の処理を行う）ことで、作業効率の悪化を抑制することができる。また、例えば、保持手段１２が「ガス供給途中」を示す状態Ｂにあると判断された場合（Ｓ２２：ＮＯ）は、扉１０ｃの開放を禁止する（Ｓ２４）ことで、作業者の安全性を確保することができる。
【００７１】
なお、停電ではなく、給気管７３及び／又は排気管７４が取り外されたことを要因として、ガス供給対象装置１０に対するガスの供給が停止されることも考えられる。このような場合においても、本実施形態によれば、保持手段が状態Ａ〜Ｃのいずれかを保持することが可能であるため、給気管７３及び／又は排気管７４が再び取り付けられ、ガスの供給を再開する段階において、保持手段が状態Ａ〜Ｃのいずれにあるかを判断し（Ｓ４，Ｓ１１，Ｓ２２）、チャンバー１０ａへのガスの供給状況に応じた処理を行うことができる。
【００７２】
保持手段１２は、当該ガス供給対象装置１０への電力の供給がある場合及び電力の供給が遮断されている場合のいずれにおいても、外部装置（本実施形態では、ガス発生装置５０のコントローラ５１）によって状態Ａ〜Ｃのいずれにあるかを判断できるように構成されている。当該構成によれば、ガス供給対象装置１０への電力の供給がある場合及び電力の供給が遮断されている場合のいずれにおいても、外部装置が、当該ガス供給対象装置１０に含まれる保持手段１２の状態を判断し、当該ガス供給対象装置１０のチャンバー１０ａへのガスの供給状況を把握して、その状況に応じた処理を行うことができる。
【００７３】
保持手段１２は、当該ガス供給対象装置１０への電力の供給がある場合、外部装置（本実施形態では、ガス発生装置５０のコントローラ５１）によって状態Ａ〜Ｃのいずれかに設定できるように構成されている。当該構成によれば、外部装置によるガス供給対象装置１０の管理をより適切に行うことができる。
【００７４】
保持手段１２は、ラッチングリレー１２ａ，１２ｂを含む。当該構成によれば、ラッチングリレー１２ａ，１２ｂの状態を電気的に判断することで、チャンバー１０ａへのガスの供給状況を的確に把握し、その状況に応じた処理を行うことができる。
【００７５】
チャンバー１０ａに供給されるガスは、滅菌作用を有する。ここで、「滅菌作用」とは、増殖性を持つあらゆる微生物（主に細菌類）を完全に殺滅又は除去する状態を実現するための作用をいう。滅菌作用を有するガスは、濃度にもよるが、人体に有害となり得る。そのため、当該構成によれば、作業者の安全性を確保する点から、本発明による利益が大きい。
【００７６】
ガス供給システム１は、複数のガス供給対象装置１０を備え、ガス発生器５０ａが発生させたガスを、複数のガス供給対象装置１０の中から順次選択される１つのガス供給対象装置１０のチャンバー１０ａに供給するように構成されている。当該構成によれば、複数のガス供給対象装置１０のチャンバー１０ａに対して順次ガスを供給する場合に、各ガス供給対象装置１０のガスの供給状況を把握し、その状況に応じた処理を行うことができる。
【００７７】
なお、保持手段１２は、３以上の状態（本実施形態では、３つの状態Ａ〜Ｃ）を選択的に取り得る。当該構成によれば、保持手段１２が２つのみではなく３以上の状態を選択的に取り得ることで、チャンバー１０ａへのガスの供給状況をより詳細に把握し、ガス供給対象装置１０のきめ細やかな管理を実現することができる。
【００７８】
また、保持手段１２は、それぞれ状態が切り替え可能な複数の素子（ラッチングリレー１２ａ，１２ｂ）を含む。当該構成によれば、保持手段が３以上の状態を選択的に取り得るという構成を、各素子の状態の組み合わせによって、比較的簡単に実現することができる。
【００７９】
以上、本発明の好適な実施の形態について説明したが、本発明は上述の実施形態に限られるものではなく、例えば以下のように、特許請求の範囲に記載した限りにおいて様々な設計変更が可能なものである。
【００８０】
・コンテナ装着部に装着されるコンテナの形態は、任意であり、例えば、ＳＭＩＦ  ＰＯＤ（Standard Mechanical Interface Pod：底部に開閉可能な開口部を有する容器）、ＦＯＵＰ（Front Opening Unified Pod：正面に開閉可能な開口部を有する容器）等であってよい。また、本発明に係るガス供給対象装置は、細胞培養皿が配置される部分（コンテナ装着部等）を有することに限定されない。
・本発明に係るガス供給システムに含まれる複数のガス供給対象装置は、構成が互いに異なる装置であってもよいし、構成が互いに同じ装置であってもよい。また、本発明に係るガス供給システムは、ガス供給対象装置を１つだけ備えたものであってもよい。
・本発明は、細胞の培養目的、細胞の検査目的等に限定されず、様々な目的において、ガスが供給されるガス供給対象装置・ガスを供給するシステムに適用可能であり、半導体ウェハ、液晶ディスプレイパネル等の基板を処理する装置・システム等にも適用可能である。
・ガス供給対象装置のチャンバーに供給されるガスは、過酸化水素ガスに限定されず、酸化エチレンガス、窒素ガス、アルゴンガス、空気等、任意の種類のガスであってよく、複数種類のガスが混合されたものであってもよい。また、本発明に係るガス供給システム及びその制御方法において、ガスは、滅菌作用を有するものに限定されない。さらに、本発明に係るガス供給対象装置、ガス供給システム及びその制御方法において、ガスは、人体に有害なものに限定されない。
・保持手段の状態が示す「チャンバーへのガスの供給状況」とは、上述の実施形態のような「ガス供給開始前」「ガス供給途中」「ガス供給完了後」に限定されず、「チャンバー内のガス濃度」、「チャンバーへのガスの供給回数（履歴）」等であってもよい。
・保持手段は、ラッチングリレーに限定されない。例えば、保持手段は、ラッチングソレノイドや、不揮発性メモリ（ＥＰＲＯＭ等）であってもよい。保持手段がラッチングソレノイドの場合、ラッチングソレノイドの状態（第１状態及び第２状態のいずれにあるか）を目視によって判断することができる。また、保持手段がラッチングソレノイドの場合、扉ロック機構１７、管７３，７４のロック機構等とラッチングソレノイドを連携させ、ラッチングソレノイドが第２状態の場合にロック機構がＯＮになるようにして、扉１０ｃの開放や管７３，７４の取り外しを禁止することも可能である。保持手段が不揮発性メモリの場合、不揮発性メモリに「チャンバー内のガス濃度」及び／又は「チャンバーへのガスの供給回数」を記憶させてもよい。
・保持手段が取り得る状態の数は、複数であればよく、例えば２つ（ガス供給開始前又はガス供給完了後を示す「第１状態」、及び、ガス供給途中を示す「第２状態」）であってもよい。
・保持手段に含まれる素子の数は、３以上であってもよい。また、保持手段が１つの素子（例えば、１つのラッチングリレー）で構成されてもよい。
・判断手段及び処理手段は、ガス供給対象装置の内部及び外部のいずれに設けられてもよい。
・処理手段が行う処理（処理ステップにおいて行われる処理）は、上述の実施形態で記載した処理（扉の開放を禁止する処理等）に限定されず、例えば、給気管及び排気管の取り外しを禁止する処理や、扉の開放や給気管及び排気管の取り外しが行われたときに報知（アラーム等の音声による報知や、画像による報知等）を行う処理であってもよい。
【符号の説明】
【００８１】
１  ガス供給システム
１０  ガス供給対象装置
１０ａ  チャンバー
１１  コントローラ（判断手段，処理手段）
１２  保持手段
１２ａ，１２ｂ  ラッチングリレー（素子）
５０  ガス発生装置
５０ａ  ガス発生器
５１  コントローラ（処理手段）
【図１】
0006674083.tif 000002
【図２】
0006674083.tif 000003
【図３】
0006674083.tif 000004
【図４】
0006674083.tif 000005
【図５】
0006674083.tif 000006